【事件の表示】
　特許第５９１６０３２号発明「薬剤検査支援装置及び方法」の特許異議申立事件について、次のとおり決定する。
【結　論】
　特許第５９１６０３２号の特許請求の範囲を訂正請求書に添付された訂正特許請求の範囲のとおり、訂正後の請求項〔１−２０〕、２１について訂正することを認める。
　特許第５９１６０３２号の請求項１−７、９−２１に係る特許を維持する。
　特許第５９１６０３２号の請求項８に係る特許についての特許異議の申立てを却下する。
【理　由】
１　手続の経緯
　特許第５９１６０３２号の請求項１ないし２１に係る特許についての出願は、平成２４年９月２７日に特許出願され、平成２８年４月１５日にその特許権についての設定登録がなされ、その特許について、特許異議申立人　大倉忠義より特許異議の申立てがなされ、平成２９年３月２３日付けで取消理由が通知され、その指定期間内である平成２９年５月１９日に意見書の提出及び訂正の請求があり、その訂正の請求に対して特許異議申立人　大倉忠義から平成２９年７月１８日付けで意見書が提出されたものである。
２　訂正の適否についての判断
（１）訂正の内容
　本件訂正請求による訂正（以下、「本件訂正」という。）の内容は、以下の「ア」ないし「シ」のとおりである。
ア　訂正事項１
　特許請求の範囲の請求項１に「一覧作成手段と備えたことを特徴とする薬剤検査支援装置。」とあるのを「一覧作成手段と備え、　前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示されたものであることを特徴とする薬剤検査支援装置。」と訂正する。
イ　訂正事項２
　特許請求の範囲の請求項８を削除する。
ウ　訂正事項３
　特許請求の範囲の請求項９に「請求項１から８何れかに記載」とあるのを、「請求項１から７何れかに記載」と訂正する。
エ　訂正事項４
　特許請求の範囲の請求項１０に「請求項１から９何れかに記載」とあるのを、「請求項１から７及び９何れかに記載」と訂正する。
オ　訂正事項５
　特許請求の範囲の請求項１３に「請求項１から１２何れかに記載」とあるのを、「請求項１から７及び９から１２何れかに記載」と訂正する。
カ　訂正事項６
　特許請求の範囲の請求項１４に「請求項１から１３何れかに記載」とあるのを、「請求項１から７及び９から１３何れかに記載」と訂正する。
キ　訂正事項７
　特許請求の範囲の請求項１６に「請求項１から１５何れかに記載」とあるのを、「請求項１から７及び９から１５何れかに記載」と訂正する。
ク　訂正事項８
　特許請求の範囲の請求項１７に「請求項１から１６何れかに記載」とあるのを、「請求項１から７及び９から１６何れかに記載」と訂正する。
ケ　訂正事項９
　特許請求の範囲の請求項１９に「請求項１から１８何れかに記載」とあるのを、「請求項１から７及び９から１８何れかに記載」と訂正する。
コ　訂正事項１０
　特許請求の範囲の請求項２０に「請求項１から１８何れかに記載」とあるのを、「請求項１から７及び９から１８何れかに記載」と訂正する。
サ　訂正事項１１
　特許請求の範囲の請求項１２に「調剤の際に際に」とあるのを、「調剤の際に」と訂正する。
シ　訂正事項１２
　特許請求の範囲の請求項２１に「表示する一覧表」とあるのを、「表示し、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示された一覧表」と訂正する。」
（２）訂正の目的の適否、一群の請求項、新規事項の有無、及び特許請求の範囲の拡張・変更の存否
ア　訂正事項１について
　訂正事項１は、「表示したものである」と「表示されたものである」との表現上の相違を除けば、本件訂正前の請求項８に「前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示したものであることを特徴とする請求項１から７何れかに記載の薬剤検査支援装置。」と記載された発明である。
　よって、訂正事項１は、願書に添付した明細書、特許請求の範囲及び図面（以下、「願書に添付した明細書等」という。）に記載された事項の範囲内において、請求項１を限定したものといえるから、特許請求の範囲の減縮を目的としたものである。
　また、新規事項の追加に該当せず、また、実質上特許請求の範囲を拡張し、又は変更するものでもない。
イ　訂正事項２について
　訂正事項２は、本件訂正前の請求項８を削除するものである。
　よって、訂正事項２は、願書に添付した明細書等に記載された事項の範囲内においてなされたものであって、新規事項の追加に該当せず、また、実質上特許請求の範囲を拡張し、又は変更するものでもない。
ウ　訂正事項３ないし１０について
　訂正事項３ないし１０は、請求項９、１０、１３、１４、１６、１７、１９、２０がそれぞれ引用する請求項を減らす訂正であるから、願書に添付した明細書等に記載された事項の範囲内において請求項９、１０、１３、１４、１６、１７、１９、２０をそれぞれ限定したものといえる。よって、訂正事項３ないし１０は、特許請求の範囲の減縮を目的としたものであって、新規事項の追加に該当せず、また、実質上特許請求の範囲を拡張し、又は変更するものでもない。
エ　訂正事項１１について
　本件訂正前の特許請求の範囲の請求項１２に記載された「調剤の際に際に」が、「調剤の際に」の誤記であることは明らかであるから、訂正事項１１は、誤記の訂正を目的とするものである。
　よって、訂正事項１１は、願書に添付した明細書等に記載された事項の範囲内のものであって、新規事項の追加に該当せず、また、実質上特許請求の範囲を拡張し、又は変更するものでもない。
オ　訂正事項１２について
　訂正事項１２は、本件訂正前の請求項８に「前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示したものであることを特徴とする請求項１から７何れかに記載の薬剤検査支援装置。」とあった記載に基づいて、本件訂正前の請求項２１における「表示する一覧表を作成するステップ」を、「表示し、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示された一覧表を作成するステップ」と減縮するものである。
　よって、訂正事項１２は、願書に添付した明細書等に記載された事項の範囲内において、請求項２１を限定したものといえるから、特許請求の範囲の減縮を目的としたものである。
　また、新規事項の追加に該当せず、また、実質上特許請求の範囲を拡張し、又は変更するものでもない。
カ　一群の請求項について
　請求項２−２０は、請求項１を引用しているものであって、訂正事項１によって記載が訂正される請求項１に連動して訂正されるものである。
　したがって、本件訂正前の請求項１ないし２０に対応する本件訂正後の請求項１ないし２０は、一群の請求項である。
　よって、本件訂正は、一群の請求項に対して請求されたものである。
（３）小括
　以上のとおりであるから、本件訂正請求による訂正は特許法第１２０条の５第２項ただし書第１号及び第２号に掲げる事項を目的とするものであり、かつ、同条第４項、及び、同条第９項において準用する同法第１２６条第５項、第６項の規定に適合するので、訂正後の請求項１ないし２０、２１についての訂正を認める。
３　特許異議の申立てについて
（１）本件発明
　本件訂正請求により訂正された訂正請求項１ないし２１に係る発明（以下、「本件発明１」ないし「本件発明２１」という。）は、その特許請求の範囲の請求項１ないし２１に記載された次の事項により特定されるとおりのものである。
「　　【請求項１】
　処方箋情報に基づいて調剤され、分包袋に分包される薬剤を検査する薬剤検査支援装置において、
　調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するか判別する第１の薬剤判別手段と、
　前記分包袋に分包される薬剤のー覧表であって、処方箋に従って調剤されるべき薬剤の薬剤マスタ画像と、前記撮影画像における各薬剤と判別された薬剤領域画像とを位置を揃えて表示する一覧表を作成する一覧作成手段と備え、
　前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示されたものであることを特徴とする薬剤検査支援装置。
　　【請求項２】
　前記一覧作成手段は、前記薬剤領域画像と前記薬剤マスタ画像との大きさが揃うように前記薬剤領域画像を拡大又は縮小して一覧表に表示することを特徴とする請求項１に記載の薬剤検査支援装置。
　　【請求項３】
　前記一覧作成手段が、前記薬剤領域画像と前記薬剤マスタ画像との方向が揃うように前記薬剤領域画像を回転させて一覧表に表示することを特徴とする請求項１又は２に記載の薬剤検査支援装置。
　　【請求項４】
　前記一覧作成手段が、各薬剤の特徴空間上での位置と他の薬剤の特徴空間上での位置との差に従った並び順で前記薬剤マスタ画像を並べることを特徴とする請求項１から３何れかに記載の薬剤検査支援装置。
　　【請求項５】
　前記一覧作成手段が前記作成した一覧表を表示装置上に表示し、ユーザが前記一覧表上で薬剤領域画像を選択すると、該選択された薬剤領域画像を拡大表示することを特徴とする請求項１から４何れかに記載の薬剤検査支援装置。
　　【請求項６】
　前記一覧表が、薬剤師によるチェック欄を更に含むことを特徴とする請求項１から５何れかに記載の薬剤検査支援装置。
　　【請求項７】
　前記一覧作成手段が、前記作成した一覧表を前記処方箋情報に対応付けて記憶装置に記憶することを特徴とする請求項１から６何れかに記載の薬剤検査支援装置。
　　【請求項８】　（削除）
　　【請求項９】
　前記処方箋情報に基づいて、調剤された薬剤及び個数が処方箋情報と合致するか否かを判断する検査結果判定手段を更に備え、前記一覧表が、検査結果判定手段による判断の結果を表示する欄を有することを特徴とする請求項１から７何れかに記載の薬剤検査支援装置。
　　【請求項１０】
　前記薬剤データベースから、前記調剤されるべき薬剤及び該薬剤に類似する薬剤の薬剤マスタ画像を取得する比較対象選定手段を更に備え、前記第１の薬剤判別手段が、前記撮影画像を前記薬剤データベースから取得された薬剤マスタ画像と照合するものであることを特徴とする請求項１から７及び９何れかに記載の薬剤検査支援装置。
　　【請求項１１】
　前記比較対象選定手段が、処方箋情報に基づいて、前記薬剤データベースから、処方箋情報に含まれる薬剤及び該薬剤に類似する薬剤の薬剤マスタ画像を取得するものであることを特徴とする請求項１０に記載の薬剤検査支援装置。
　　【請求項１２】
　前記比較対象選定手段が、調剤の際に使用された薬剤を特定するための払出し情報に基づいて、前記薬剤データベースから、前記払出し情報に含まれる薬剤及び該薬剤に類似する薬剤の薬剤マスタ画像を取得するものであることを特徴とする請求項１０に記載の薬剤検査支援装置。
　　【請求項１３】
　前記撮影画像が、前記調剤された薬剤が分包された分包袋を撮影した画像であることを特徴とする請求項１から７及び９から１２何れかに記載の薬剤検査支援装置。
　　【請求項１４】
　前記分包袋には、服用時点ごとに服用すべき薬剤が分包されることを特徴とする請求項１から７及び９から１３何れかに記載の薬剤検査支援装置。
　　【請求項１５】
　前記一覧作成手段が、前記一覧表において服用時点が同じ分包袋を連続的に並べて配置することを特徴とする請求項１４に記載の薬剤検査支援装置。
　　【請求項１６】
　前記第１の薬剤判別手段が、前記撮影画像から文字を抽出して認識し、認識した文字に基づいて前記撮影画像中に存在する薬剤を判別することを特徴とする請求項１から７及び９から１５何れかに記載の薬剤検査支援装置。
　　【請求項１７】
　調剤された薬剤の撮影画像から各薬剤の外形特徴及びサイズ特徴を抽出し、該抽出した外形特徴及びサイズ特徴と、調剤されるべき薬剤の外形特徴及びサイズ特徴と比較して薬剤の一次判別を行う第２の薬剤判別手段を更に有し、
　前記第１の薬剤判別手段が、前記第２の薬剤判別手段で判別不能な薬剤について、前記撮影画像と前記薬剤マスタ画像との照合を行うことを特徴とする請求項１から７及び９から１６何れかに記載の薬剤検査支援装置。
　　【請求項１８】
　前記第２の薬剤判別手段が、撮像手段とは反対側から前記調剤された薬剤に照明光を照射して撮影された撮影画像から、外形特徴及びサイズ特徴を抽出するものであることを特徴とする請求項１７に記載の薬剤検査支援装置。
　　【請求項１９】
　前記薬剤データベースに前記調剤されるべき薬剤の薬剤マスタ画像が存在しないとき、ユーザに、前記撮影画像に含まれる調剤されるべき薬剤の部分画像の指定を促し、該指定された部分画像を薬剤マスタ画像として前記薬剤データベースに追加登録するデータベース登録手段を更に備えたことを特徴とする請求項１から７及び９から１８何れかに記載の薬剤検査支援装置。
　　【請求項２０】
　前記薬剤データベースに前記調剤されるべき薬剤の薬剤マスタ画像が存在しないとき、遠隔のマスタデータベースにアクセスし、前記調剤されるべき薬剤の薬剤マスタ画像を取得するデータベース登録手段を更に備えたことを特徴とする請求項１から７及び９から１８何れかに記載の薬剤検査支援装置。
　　【請求項２１】
　薬剤検査支援装置が、処方箋情報に基づいて調剤され、分包袋に分包される薬剤を検査する薬剤検査支援方法であって、
　前記薬剤検査支援装置が、調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するかを判別するステップと、
　前記薬剤検査支援装置が、前記分包袋に分包される薬剤の一覧表であって、処方箋に従って調剤されるべき薬剤の薬剤マスタ画像と、前記撮影画像における各薬剤と判別された薬剤領域画像とを位置を揃えて表示し、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示された一覧表を作成するステップとを有することを特徴とする薬剤検査支援方法。」
（２）取消理由の概要
　本件訂正前の請求項１ないし２１に係る特許に対して平成２９年３月２３日付けで特許権者に通知した取消理由の要旨は、次のとおりである。
１　本件特許の請求項１、３、７、９、１３、１４、１６、２１に係る発明は、甲第１号証に記載された発明であって、特許法第２９条第１項第３号に該当し、特許を受けることができないから、その発明に係る特許は取り消すべきものである。
　甲第１号証：国際公開第２０１２／００５００４号
２　本件特許の請求項１−３、５−９、１３−２１に係る発明は、甲第１号証に記載された発明、甲第４号証に記載された事項及び周知の事項（甲第７号証）に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　甲第１号証：国際公開第２０１２／００５００４号
　甲第４号証：特開２００４−２０３４３３号公報
　甲第７号証：特開２００２−２３８９８０号公報
（３）甲号証の記載
ア　甲第１号証の記載事項等
　甲第１号証（国際公開第２０１２／００５００４号）には、図面とともに、次の事項が記載されている（下線は、当審で付与した。）。
「[0001]　本発明は、
分包体に封入された錠剤の監査を支援する
錠剤監査支援装置
「[0002]　病院施設又は薬局などで行われる調剤作業は、処方箋に応じて過不足のない正確な調剤が行われることが望まれている。
カプセル錠剤又は固形錠剤の調剤は、錠剤分包機を用いて、薬包シートの分包体に、処方箋に応じた錠剤を区分封入することにより行われる。
「[0014]　（実施の形態１）
　図１は錠剤監査支援装置１１の要部を示す概略構成図であり、図２は画像処理部１９の基本動作を示すフローチャートである。
[0015]　図１に示すように、錠剤監査支援装置１１は、移送部１５と、撮像部１８と、反射光照明部１６と、透過光照明部１７と、制御処理部３１と、表示部２０と、を備える。移送部１５は、２枚のフィルム間に、調剤済の錠剤１２を封入した分包体１３を複数連ねた薬包シート１４を、送り出す機構である。
撮像部１８
は、薬包シート１４を撮像することにより、画像を取得する。
画像処理部１９は、撮像部１８が取得した画像より、錠剤の画像である錠剤画像を作成する。
「[0029]　また、個別錠剤画像２６は、個々の錠剤のカラー画像であるため、たとえば、個別錠剤画像２６を横方向に並べて、表示部２０に錠剤群画像２３として表示することも可能である。これにより、反射光画像２１のような錠剤１２がバラバラの画像よりも、視認性に優れた表示が可能になり、分包体１３のすべての錠剤１２を確認しやすくなる。」
「[0031]　次に、処方箋情報等を利用する錠剤監査支援装置１１について詳細を説明する。図１に示すように、
錠剤監査支援装置１１は、移送部１５、反射光照明部１６、透過光照明部１７、撮像部１８、制御処理部３１及び表示部２０を備える。それに加え、錠剤監査支援装置１１は、バーコードリーダ３２を備える。制御処理部３１は、画像処理部１９と共に、制御部３３及び記録部３４を有する。
「[0033]　　バーコードリーダ３２は、分包体１３に印刷されたバーコードを読み取る。各分包体１３のバーコードには、分包体１３の処方箋コード及び分包体番号などが記録されている。
制御処理部３１の制御部３３は、バーコードリーダ３２で取得した分包体１３の処方箋コードをデータ管理部３６に問い合わせ、分包体１３の処方箋情報を取得して保持
、処方箋情報には、各分包体に封入される複数の錠剤に対して、各錠剤の錠剤コード及び錠剤名及び個数などが含まれている。
「[0035]　なお、
データ管理部３６は、医局で作成された処方箋情報等を保存するデータベースであり、
データ管理部３６のデータベースは、処方される錠剤に関して、各錠剤の錠剤コード又はサンプル画像又は形状又は大きさ（投影面積）又は体積又は色又は文字情報などを記憶している。
「[0083]　（実施の形態３） 
　図１７は、本発明の実施の形態３の錠剤監査支援装置１１における錠剤群画像６１を示す図である。
[0084]　
本発明の実施の形態３における錠剤監査支援装置１１は、実施の形態１の錠剤監査支援装置１１と同じ構成要素からなる。
画像処理部１９で行われる画像処理ステップ
において、処方箋情報として処方錠剤の錠剤サンプル画像６２と処方個数をデータ管理部３６より取得する。画像処理部１９は、個別錠剤画像２６と錠剤サンプル画像６２を比較して、画像処理部１９で得られたすべての個別錠剤画像２６を処方箋情報の錠剤サンプル画像６２への類似度合いに応じて分類する。
[0085]　このような構成により、個別錠剤画像２６の総個数と処方箋情報の錠剤の処方総個数との比較結果を表示しているので、錠剤個数の監査結果を容易に得ることができる。また、個別錠剤画像２６を処方箋情報の錠剤サンプル画像６２への類似度合いに応じて分類し、分類された個別錠剤画像２６の個数と処方箋情報の処方個数との比較結果を表示しているので、種類別の錠剤個数の監査結果を容易に得ることができる。また、個別錠剤画像２６の総個数のチェック結果と分類された個別錠剤画像２６のチェック結果が両方とも「ＯＫ」ならば、監査の自動チェック結果を「ＯＫ」として表示し、いずれか一方が「ＮＧ」ならば監査の自動チェック結果を「ＮＧ」として表示する。これにより、分包体１３に含まれる錠剤１２に対して、処方箋情報の錠剤サンプル画像に基づく錠剤監査の支援を行うことができる。
[0086]　また、
錠剤サンプル画像６２と個別錠剤画像２６を並べた錠剤群画像６１を作成して表示する
画像処理部１９と表示部２０は、処方箋情報に基づいて錠剤サンプル画像６２を取得し、複数個のカラーの個別錠剤画像２６の中から錠剤サンプル画像６２に類似するカラーの個別錠剤画像２６を推定し、推定したカラーの個別錠剤画像２６を錠剤サンプル画像６２の近傍に配置して表示している。
　また、図１７の記載は、次のとおりである。
（ア）甲第１号証の段落[0001]より、「分包体に封入された錠剤の監査を支援する錠剤監査支援装置」との技術事項を読み取ることができる。
（イ）甲第１号証の段落[0084]には、「本発明の実施の形態３における錠剤監査支援装置１１は、実施の形態１の錠剤監査支援装置１１と同じ構成要素からなる。」と記載されているから、実施の形態３における錠剤監査支援装置１１について、以下のとおり、実施の形態１に関する甲第１号証の記載より、次のａ〜ｄを読み取ることができる。
ａ　甲第１号証の段落[0031]より、錠剤監査支援装置１１は、「反射光照明部１６、透過光照明部１７、撮像部１８、制御処理部３１及び表示部２０を備え」、「制御処理部３１は、画像処理部１９と共に、制御部３３及び記録部３４を有する」ものであることが読み取れる。
ｂ　甲第１号証の段落[0015]より、「撮像部１８」「は、薬包シート１４を撮像することにより、画像を取得」し、「画像処理部１９は、撮像部１８が取得した画像より、錠剤の画像である錠剤画像を作成する」ことが読み取れる。
ｃ　甲第１号証の段落[0035]より、「データ管理部３６は、医局で作成された処方箋情報等を保存するデータベースであり」、「処方される錠剤に関して、各錠剤の錠剤コード又はサンプル画像又は形状又は大きさ（投影面積）又は体積又は色又は文字情報などを記憶している」ことが読み取れる。
ｄ　甲第１号証の段落[0033]より、「制御処理部３１の制御部３３は」、「分包体１３の処方箋コードをデータ管理部３６に問い合わせ、分包体１３の処方箋情報を取得して保持」し、「処方箋情報には、各分包体に封入される複数の錠剤に対して、各錠剤の錠剤コード及び錠剤名及び個数などが含まれている」ことが読み取れる。
（ウ）甲第１号証の段落[0084]より、実施の形態３における錠剤監査支援装置１１について、「画像処理部１９で行われる画像処理ステップ」「において、処方箋情報として処方錠剤の錠剤サンプル画像６２をデータ管理部３６より取得」し、「画像処理部１９は、個別錠剤画像２６と錠剤サンプル画像６２を比較して、画像処理部１９で得られたすべての個別錠剤画像２６を処方箋情報の錠剤サンプル画像６２への類似度合いに応じて分類する」との技術事項を読み取ることができる。
（エ）甲第１号証の段落[0086]より、実施の形態３における錠剤監査支援装置１１について、「画像処理部１９と表示部２０は、処方箋情報に基づいて錠剤サンプル画像６２を取得し、複数個のカラーの個別錠剤画像２６の中から錠剤サンプル画像６２に類似するカラーの個別錠剤画像２６を推定し、推定したカラーの個別錠剤画像２６を錠剤サンプル画像６２の近傍に配置して表示し」、「錠剤サンプル画像６２と個別錠剤画像２６を並べた錠剤群画像６１を作成して表示する」との技術事項を読み取ることができる。
　上記（ア）〜（エ）より、甲第１号証には、次の発明（以下、「引用発明」という。）が記載されていると認められる。
 「分包体に封入された錠剤の監査を支援する錠剤監査支援装置１１であって、
　反射光照明部１６、透過光照明部１７、撮像部１８、制御処理部３１及び表示部２０を備え、制御処理部３１は、画像処理部１９と共に、制御部３３及び記録部３４を有し、
　撮像部１８は、薬包シート１４を撮像することにより、画像を取得し、画像処理部１９は、撮像部１８が取得した画像より、錠剤の画像である錠剤画像を作成し、
　データ管理部３６は、医局で作成された処方箋情報等を保存するデータベースであり、処方される錠剤に関して、各錠剤の錠剤コード又はサンプル画像又は形状又は大きさ（投影面積）又は体積又は色又は文字情報などを記憶し、
　制御処理部３１の制御部３３は、分包体１３の処方箋コードをデータ管理部３６に問い合わせ、分包体１３の処方箋情報を取得して保持し、処方箋情報には、各分包体に封入される複数の錠剤に対して、各錠剤の錠剤コード及び錠剤名及び個数などが含まれており、
　画像処理部１９で行われる画像処理ステップにおいて、処方箋情報として処方錠剤の錠剤サンプル画像６２をデータ管理部３６より取得し、画像処理部１９は、個別錠剤画像２６と錠剤サンプル画像６２を比較して、画像処理部１９で得られたすべての個別錠剤画像２６を処方箋情報の錠剤サンプル画像６２への類似度合いに応じて分類し、
　画像処理部１９と表示部２０は、処方箋情報に基づいて錠剤サンプル画像６２を取得し、複数個のカラーの個別錠剤画像２６の中から錠剤サンプル画像６２に類似するカラーの個別錠剤画像２６を推定し、推定したカラーの個別錠剤画像２６を錠剤サンプル画像６２の近傍に配置して表示し、錠剤サンプル画像６２と個別錠剤画像２６を並べた錠剤群画像６１を作成して表示する、
　錠剤監査支援装置１１。」
イ　甲第４号証について
　甲第４号証（特開２００４−２０３４３３号公報）には、図１３とともに、次の事項が記載されている（下線は当審で付与した。）。
「【０００１】
【発明の属する技術分野】
本発明は病院や調剤薬局などにおいて、
処方箋により指定された所定数量の薬剤を容器（袋や瓶など）に充填して供給する薬剤供給装置に関するものである。
「【００３９】
次に、薬剤フィーダ５７の動作について説明する。この薬剤フィーダ５７はタブレットケース３・・に収納されていない薬剤、即ち、さほど頻繁に処方されない薬剤の包装、或いは、タブレットケース３からの薬剤に追加して包装するために用いられるものであり、この薬剤フィーダ５７にて包装すべき薬剤に関するデータも前述の処方データに含まれてパソコンＰＣから送信されてくる。
【００４０】
今、薬剤フィーダ５７を用いて
包装すべき薬剤として錠剤Ａ、Ｂ、Ｃ、Ｄがあり、朝、昼、夕、就寝前の服用時期別の数量が図１３の如き処方データであったものとする。図１３は１週間の処方データを示して
いる。
　また、図１３の記載は、次のとおりである。
　よって、甲第４号証には、「包装すべき薬剤に関するデータとして、包装すべき薬剤と服用時期とを行と列に配置してなる処方データ」が記載されていると認められる。
ウ　甲第７号証について
　甲第７号証（特開２００２−２３８９８０号公報）の段落【０００８】には、「また、分包順序には、服用時期を時間順に「朝、昼、夕、朝、昼、夕」と繰り返す反復分包と、服用時期を「朝、朝、昼、昼、夕、夕」と連続させる連続分包とがあり、両方の指定に対応できなければならない。」と記載されている。
（４）対比・判断
ア　対比
　本件特許明細書の段落【００８０】〜【００８２】の記載を踏まえつつ、本件発明１と引用発明とを対比する。 
（ア）甲第１号証の段落[0002]に「カプセル錠剤又は固形錠剤の調剤は、錠剤分包機を用いて、薬包シートの分包体に、処方箋に応じた錠剤を区分封入することにより行われる。」と記載されていることから、引用発明において、「分包体１３」に封入される「錠剤」の「調剤」が、「処方箋に応じ」て行われていることは明らかである。
　よって、引用発明における「分包体に封入された錠剤の監査を支援する錠剤監査支援装置１１」は、後述する相違点１を除いて、本件発明１における「処方箋情報に基づいて調剤され、分包袋に分包される薬剤を検査する薬剤検査支援装置」に相当するといえる。
（イ）引用発明における「データ管理部３６」は、「医局で作成された処方箋情報等を保存するデータベースであり、処方される錠剤に関して、各錠剤の」「サンプル画像」「を記憶し」ているから、本件発明１における「調剤され得る薬剤の薬剤マスタ画像を含む薬剤データベース」に相当する。
　また、引用発明における「データ管理部３６より取得」される「錠剤サンプル画像６２」は、本件発明１における「薬剤データベースからの薬剤マスタ画像」に相当する。
（ウ）引用発明において、「撮像部１８」が「薬包シート１４を撮像することにより、画像を取得し」、「画像処理部１９」が「撮像部１８が取得した画像より」「作成し」た「錠剤の画像である錠剤画像」が、本件発明１における「調剤された薬剤を撮影した撮影画像」に相当する。
（エ）引用発明における「画像処理部１９」は、「個別錠剤画像２６と錠剤サンプル画像６２を比較して、画像処理部１９で得られたすべての個別錠剤画像２６を処方箋情報の錠剤サンプル画像６２への類似度合いに応じて分類」している。ここで、「類似度合いに応じて分類」するとは、具体的には、「複数個のカラーの個別錠剤画像２６の中から錠剤サンプル画像６２に類似するカラーの個別錠剤画像２６を推定」することであるから、引用発明において、上記「類似度合いに応じて分類」する「画像処理部１９」とは、個別錠剤画像２６が、どの錠剤サンプル画像６２に該当するかを判別するための手段を示したものであるといえる。
　よって、引用発明における「画像処理部１９」は、上記「（イ）」及び「（ウ）」における対比を踏まえれば、本件発明１における「調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するか判別する第１の薬剤判別手段」に相当するといえる。
（オ）引用発明における「画像処理部１９と表示部２０」は、「錠剤サンプル画像６２に類似する」と「推定したカラーの個別錠剤画像２６を錠剤サンプル画像６２の近傍に配置して表示し、錠剤サンプル画像６２と個別錠剤画像２６を並べた錠剤群画像６１を作成して表示する」ものであるから、上記「（ア）」における対比を踏まえれば、本件発明１における「前記分包袋に分包される薬剤の一覧表であって、処方箋に従って調剤されるべき薬剤の薬剤マスタ画像と、前記撮影画像における各薬剤と判別された薬剤領域画像とを位置を揃えて表示する一覧表を作成する一覧作成手段」とは、「前記分包袋に分包される薬剤を並べた表示形態であって、処方箋に従って調剤されるべき薬剤の薬剤マスタ画像と、前記撮影画像における各薬剤と判別された薬剤領域画像とを位置を揃えて表示する表示形態を作成する作成手段」である点で共通する。
　以上のことから、本件発明１と引用発明との一致点及び相違点は、次のとおりである。
 
（一致点） 
「処方箋情報に基づいて調剤され、分包袋に分包される薬剤を検査する薬剤検査支援装置において、
　調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するか判別する第１の薬剤判別手段と、
　前記分包袋に分包される薬剤を並べた表示形態であって、処方箋に従って調剤されるべき薬剤の薬剤マスタ画像と、前記撮影画像における各薬剤と判別された薬剤領域画像とを位置を揃えて表示する表示形態を作成する作成手段と備えたことを特徴とする薬剤検査支援装置。」
（相違点１）
　本件発明１では、
（ａ）分包袋に分包される薬剤を並べた表示形態が「前記分包袋に分包される薬剤の一覧表」であって、「前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示されたものであ」り、また、
（ｂ）撮影画像における各薬剤と判別された薬剤領域画像とを位置を揃えて表示する表示形態を作成する作成手段が、「一覧表を作成する一覧作成手段」であるのに対し、
　引用発明では、「画像処理部１９と表示部２０」が、「錠剤サンプル画像６２に類似する」と「推定したカラーの個別錠剤画像２６」を「錠剤サンプル画像６２の近傍に配置して表示し、錠剤サンプル画像６２」と、「分包体１３」に封入される「錠剤」についての「個別錠剤画像２６」とを「並べた錠剤群画像６１を作成して表示」しているものの、当該表示形態が、「一覧表」であるといえるか、また、錠剤サンプル画像６２と、分包体１３に封入された錠剤についての個別錠剤画像２６とを並べた表示形態を作成する「画像処理部１９と表示部２０」が、一覧表を作成する「一覧作成手段」であるといえるのか、明らかでない点。
イ　判断
（ア）特許法第２９条第１項第３号について
　上記（相違点１）は、少なくとも「ア」「（相違点１）」「（ａ）」の構成を本件発明１が備えている点で、実質的な相違点であるから、本件発明１は、引用発明ではない。
　また、本件発明３、７、９、１３、１４、１６も、上記相違点１に係る本件発明１の構成を発明特定事項としているから、引用発明ではない。
　さらに、本件発明２１も、上記相違点１に係る本件発明１の構成と同様の構成を発明特定事項としているから、引用発明ではない。
　よって、本件請求項１、３、７、９、１３、１４、１６、２１に係る特許は、特許法第２９条第１項第３号の規定に違反してされたものではない。
（イ）特許法第２９条第２項について
　甲第４号証には、「包装すべき薬剤に関するデータとして、包装すべき薬剤と服用時期とを行と列に配置してなる処方データ」が記載されているが、該処方データは、「処方箋により指定された所定数量の薬剤を容器（袋や瓶など）に充填」（甲第４号証の段落【０００１】）する際の、「包装すべき薬剤に関するデータ」であって、分包袋に封入された「薬剤」についてのデータではないから、甲第４号証に示されたデータ形式を引用発明において採用し、上記「ア」「（相違点）」「（ａ）」に係る本件発明１の構成とすべき動機付けは見いだせない。
　また、甲第４号証に示されたデータ形式を引用発明において採用したとしても、「錠剤サンプル画像６２」と服用時期とを行と列に配置したデータ、あるいは「推定したカラーの個別錠剤画像２６」と服用時期とを行と列に配置したデータが表示されることとなるにすぎず、「錠剤サンプル画像６２」と服用時期とを行と列に配置し、「推定したカラーの個別錠剤画像２６」が「錠剤サンプル画像６２」に対応した位置に表示されることにはならない。
　さらに、甲第２号証（特開２０１１−２３３１３５号公報）、甲第３号証（特開平８−１３７９４６号公報）、甲第５号証（特開平１１−２０６８５４号公報）、甲第６号証（特開２００７−５４４３０号公報）及び甲第７号証（特開２００２−２３８９８０号公報）にも、上記相違点１に係る本件発明１の構成は記載されていない。
　そして、上記相違点１に係る事項により、本件発明１は、「本実施形態では、一覧作成手段１８が、処方箋に従って調剤されるべき薬剤の薬剤マスタ画像と、撮影画像における各薬剤と判別された薬剤領域画像とを位置を揃えて表示する一覧表を作成する。例えば一覧表の列を薬剤に対応させ、各列に、薬剤マスタ画像と当該薬剤と判別された薬剤領域画像とを表示することで、薬剤師は、各分包袋に処方箋通りに薬剤が分包されているか否かを、容易に目視確認することができる。また、薬剤判別手段１３にて誤判定があったときは、一列に並ぶ薬剤領域画像の中に異なる薬剤の画像が混じることになるため、薬剤判別手段１３の誤判定を容易に認識することができる。」（明細書段落【００５８】）という顕著な作用効果を奏するものである。
　よって、本件発明１は、上記「ア」「（相違点１）」「（ａ）」に係る構成を備える点で、引用発明及び甲第２−７号証に記載された事項に基いて、当業者が容易になし得たものではない。
　また、本件発明２、３、５−７、９、１３−２０も、上記「ア」「（相違点１）」「（ａ）」に係る本件発明１の構成を発明特定事項としているから、引用発明及び甲第２−７号証に記載された事項に基いて、当業者が容易になし得たものではない。
　さらに、本件発明２１も、上記「ア」「（相違点１）」「（ａ）」に係る本件発明１の構成と同様の構成を発明特定事項としているから、引用発明及び甲第２−７号証に記載された事項に基いて、当業者が容易になし得たものではない。
　以上のとおり、本件請求項１−３、５−７、９、１３−２１に係る特許は、特許法第２９条第２項の規定に違反してされたものではない。
（５）取消理由通知において採用しなかった特許異議申立理由について
　特許異議申立人が、本件訂正前の特許請求の範囲及び明細書に関して行った主張、並びにこれに対する当審の判断は、以下のとおりである。
ア　請求項４について（特許法第３６条第４項第１号）
（特許異議申立人の主張）
（ア）請求項４には、「各薬剤の特徴空間上での位置と他の薬剤の特徴空間上での位置との差に従った並び順で前記薬剤マスタ画像を並べる」と記載されている。「特徴空間上での位置との差」を求めるには、特徴空間を形成する特徴量の設定が必要になるが、特徴量を設定する具体的な基準や手順等が記載されていない。
（イ）また、特徴空間上での位置、すなわち特徴量がわかったとしても、特徴量との差に従った並び順が明確でなく、また、異議申立書第４６頁に提示した設例では、特徴量との差に従った並び順に矛盾が生じる場合がある。
　よって、本件特許明細書の発明の詳細な説明には、当業者が請求項４に係る発明を実施できる程度に明確かつ十分に記載されていない。
（当審の判断）
（ア）上記「（特許異議申立人の主張）」「（ア）」について、本件明細書の段落【００７８】に「外形特徴及びサイズ特徴」と例示されているとおり、薬剤の特徴量としては、例えば、外形特徴及びサイズ特徴を数値化したものを用いればよいことは、常識的に明らかである。
（イ）次に、上記「（特許異議申立人の主張）」「（イ）」について、本件明細書の段落【００４７】には「一覧作成手段１８は、一覧表の作成に際しては、薬剤間の類似度に従って薬剤をソートして並べてもよい。例えば、各薬剤の薬剤マスタ画像から特徴量を抽出したときの各薬剤の特徴空間上での位置と他の薬剤の特徴空間上での位置との差に従った並び順で薬剤（薬剤マスタ画像）を並べてもよい。例えば、他の薬剤との類似度が低い（特徴量の差が大きい）薬剤ほど図４の紙面向って左側に配置し、類似度が高い（特徴量の差が小さい）薬剤ほど右側に配置するようにしてもよい。その場合、紙面向って左側の薬剤は一目で判別が可能な薬剤で、右に向かっていくほど類似した薬剤となり、注意深く観察する必要がある薬剤になる。」と、薬剤間の類似度に従った薬剤の並べ形の例が、具体的に示されている。
　また、請求人の提示した設例は、薬剤間の特徴量の差について、距離に関する定理である三角不等式（薬剤ｘ，ｙ間の特徴量の差をｄ（ｘ，ｙ）と記載すると、任意の薬剤Ｘ、Ｙ、Ｚ間の特徴量の差について、ｄ（Ｘ，Ｚ）≦ｄ（Ｘ，Ｙ）＋ｄ（Ｙ，Ｚ）の関係式が満たされていること）が満足されていない希な設例であって、本件請求項４に係る発明について、このような希な設例についてまで、実施可能であることが説明されていなければならないものではない。
（ウ）よって、本件請求項４に係る特許は、特許法第３６条第４項第１号に規定する要件を満たしていない特許出願に対してされたものではない。
イ　請求項４について（特許法第３６条第６項第１号）
　特許異議申立人は、上記「ア」「（特許異議申立人の主張）」「（ア）」に記載したのと同様の理由により、請求項４に係る発明は、特許を受けようとする発明が発明の詳細な説明に記載したものではない旨主張するが、該主張に理由がないことは、上記「ア」「（当審の判断）」「（ア）」にて述べたとおりである。
　よって、本件請求項４に係る特許は、特許法第３６条第６項第１号に規定する要件を満たしてない特許出願に対してされたものではない。
ウ　請求項９について（特許法第３６条第６項第２号）
　異議申立人は、調剤された薬剤の個数を判断する場合において、処方箋情報のみに基づいて個数が処方箋情報と合致するか否か判断することはできないから、調剤された薬剤の個数を判断する具体的手段等の記載のない請求項９の記載は、特許を受けようとする発明が明確でない、と主張している。
　しかし、本件特許明細書の段落【００３４】に「リーダ３２は、
処方箋情報
処方箋から
個数
の情報を読み取る。
　よって、本件請求項９に係る特許は、特許法第３６条第６項第２号に規定する要件を満たしていない特許出願に対してされたものではない。
エ　請求項４、１０−１２に係る発明ついて（特許法第２９条第２項）
　特許異議申立人は、請求項４に係る発明は、甲第１号証に記載された発明に基づいて、当業者が容易に発明をすることができたものであり、また、請求項１０−１２に係る発明は、甲第１号証に記載された発明及び甲第６号証に記載された発明に基づいて、当業者が容易に発明をすることができたものであるから、請求項４、１０−１２に係る発明についての特許は、取り消されるべきものである旨主張している。
　しかし、本件訂正後の請求項４、１０−１２に係る発明（本件発明４、１０−１２）は、上記「（４）」「ア」「（相違点１）」「（ａ）」に係る本件発明１の構成を発明特定事項としているから、甲第１号証〜甲第７号証に記載された発明に基づいて当業者が容易に発明をすることができたものでないことは、上記「（４）」「イ」「（イ）」で述べたとおりであって、特許異議申立人の主張は理由がない。
　よって、本件請求項４、１０−１２に係る特許は、特許法第２９条第２項の規定に違反してされたものではない。
オ　まとめ
　よって、異議申立人の主張は理由がない。
４　むすび
　以上のとおり、本件請求項１−７、９−２１に係る特許については、特許異議申立書に記載した特許異議申立理由によっては取り消すことはできない。
　また、他に本件請求項１−７、９−２１に係る特許を取り消すべき理由を発見しない。
　さらに、請求項８に係る特許は、本件訂正により削除されたため、本件特許の請求項８に対して特許異議申立人がした特許異議の申立てについては、対象となる請求項が存在しない。
　よって、結論のとおり審決する。
【異議決定日】
平成２９年８月１４日（２０１７．８．１４）
【訂正の要旨】
審決（決定）の【理由】欄参照。
（５７）【特許請求の範囲】
　【請求項１】
　処方箋情報に基づいて調剤され、分包袋に分包される薬剤を検査する薬剤検査支援装置において、
　調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するか判別する第１の薬剤判別手段と、
　前記分包袋に分包される薬剤の一覧表であって、処方箋に従って調剤されるべき薬剤の薬剤マスタ画像と、前記撮影画像における各薬剤と判別された薬剤領域画像とを位置を揃えて表示する一覧表を作成する一覧作成手段と備え
、
　前記一覧表が、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示されたものである
　【請求項２】
　前記一覧作成手段は、前記薬剤領域画像と前記薬剤マスタ画像との大きさが揃うように前記薬剤領域画像を拡大又は縮小して一覧表に表示することを特徴とする請求項１に記載の薬剤検査支援装置。
　【請求項３】
　前記一覧作成手段が、前記薬剤領域画像と前記薬剤マスタ画像との方向が揃うように前記薬剤領域画像を回転させて一覧表に表示することを特徴とする請求項１又は２に記載の薬剤検査支援装置。
　【請求項４】
　前記一覧作成手段が、各薬剤の特徴空間上での位置と他の薬剤の特徴空間上での位置との差に従った並び順で前記薬剤マスタ画像を並べることを特徴とする請求項１から３何れかに記載の薬剤検査支援装置。
　【請求項５】
　前記一覧作成手段が前記作成した一覧表を表示装置上に表示し、ユーザが前記一覧表上で薬剤領域画像を選択すると、該選択された薬剤領域画像を拡大表示することを特徴とする請求項１から４何れかに記載の薬剤検査支援装置。
　【請求項６】
　前記一覧表が、薬剤師によるチェック欄を更に含むことを特徴とする請求項１から５何れかに記載の薬剤検査支援装置。
　【請求項７】
　前記一覧作成手段が、前記作成した一覧表を前記処方箋情報に対応付けて記憶装置に記憶することを特徴とする請求項１から６何れかに記載の薬剤検査支援装置。
　【請求項８】　
（削除）
　【請求項９】
　前記処方箋情報に基づいて、調剤された薬剤及び個数が処方箋情報と合致するか否かを判断する検査結果判定手段を更に備え、前記一覧表が、検査結果判定手段による判断の結果を表示する欄を有することを特徴とする請求項１から
７
　【請求項１０】
　前記薬剤データベースから、前記調剤されるべき薬剤及び該薬剤に類似する薬剤の薬剤マスタ画像を取得する比較対象選定手段を更に備え、前記第１の薬剤判別手段が、前記撮影画像を前記薬剤データベースから取得された薬剤マスタ画像と照合するものであることを特徴とする請求項１から
７及び
　【請求項１１】
　前記比較対象選定手段が、処方箋情報に基づいて、前記薬剤データベースから、処方箋情報に含まれる薬剤及び該薬剤に類似する薬剤の薬剤マスタ画像を取得するものであることを特徴とする請求項１０に記載の薬剤検査支援装置。
　【請求項１２】
　前記比較対象選定手段が、調剤の際
に
　【請求項１３】
　前記撮影画像が、前記調剤された薬剤が分包された分包袋を撮影した画像であることを特徴とする請求項１から
７及び９から
　【請求項１４】
　前記分包袋には、服用時点ごとに服用すべき薬剤が分包されることを特徴とする請求項１から
７及び９から
　【請求項１５】
　前記一覧作成手段が、前記一覧表において服用時点が同じ分包袋を連続的に並べて配置することを特徴とする請求項１４に記載の薬剤検査支援装置。
　【請求項１６】
　前記第１の薬剤判別手段が、前記撮影画像から文字を抽出して認識し、認識した文字に基づいて前記撮影画像中に存在する薬剤を判別することを特徴とする請求項１から
７及び９から
　【請求項１７】
　調剤された薬剤の撮影画像から各薬剤の外形特徴及びサイズ特徴を抽出し、該抽出した外形特徴及びサイズ特徴と、調剤されるべき薬剤の外形特徴及びサイズ特徴と比較して薬剤の一次判別を行う第２の薬剤判別手段を更に有し、
　前記第１の薬剤判別手段が、前記第２の薬剤判別手段で判別不能な薬剤について、前記撮影画像と前記薬剤マスタ画像との照合を行うことを特徴とする請求項１から
７及び９から
　【請求項１８】
　前記第２の薬剤判別手段が、撮像手段とは反対側から前記調剤された薬剤に照明光を照射して撮影された撮影画像から、外形特徴及びサイズ特徴を抽出するものであることを特徴とする請求項１７に記載の薬剤検査支援装置。
　【請求項１９】
　前記薬剤データベースに前記調剤されるべき薬剤の薬剤マスタ画像が存在しないとき、ユーザに、前記撮影画像に含まれる調剤されるべき薬剤の部分画像の指定を促し、該指定された部分画像を薬剤マスタ画像として前記薬剤データベースに追加登録するデータベース登録手段を更に備えたことを特徴とする請求項１から
７及び９から
　【請求項２０】
　前記薬剤データベースに前記調剤されるべき薬剤の薬剤マスタ画像が存在しないとき、遠隔のマスタデータベースにアクセスし、前記調剤されるべき薬剤の薬剤マスタ画像を取得するデータベース登録手段を更に備えたことを特徴とする請求項１から
７及び９から
　【請求項２１】
　薬剤検査支援装置が、処方箋情報に基づいて調剤され、分包袋に分包される薬剤を検査する薬剤検査支援方法であって、
　前記薬剤検査支援装置が、調剤され得る薬剤の薬剤マスタ画像を含む薬剤データベースからの薬剤マスタ画像と、調剤された薬剤を撮影した撮影画像とを照合し、前記撮影画像中に存在する薬剤がどの薬剤に該当するかを判別するステップと、
　前記薬剤検査支援装置が、前記分包袋に分包される薬剤の一覧表であって、処方箋に従って調剤されるべき薬剤の薬剤マスタ画像と、前記撮影画像における各薬剤と判別された薬剤領域画像とを位置を揃えて表示
し、行及び列の一方が処方箋に従って調剤されるべき薬剤に対応し、他方が分包袋に対応しており、前記調剤されるべき薬剤の薬剤マスタ画像が前記行及び列の一方に並べて配置され、かつ、各分包袋について、前記撮影画像に含まれる各薬剤の薬剤領域画像が前記判別された薬剤に対応した位置に表示された